(57)【要約】【課題】磁界変化に伴うノイズの影響を除去し伝送信号の伝送精度を向上させる。【解決手段】セット用絶縁トランスＴＬ１１の１次巻線Ｍ１１の両端間にＰチャネル電界効果型トランジスタＴｒ１１を接続し、入力信号Ｓ１００の立ち上がりに同期したエッジ信号Ｓ１０２の立ち上がりエッジで１次巻線Ｍ１１に励磁電流を供給し、励磁用のエッジ信号Ｓ１０２の立ち下がりエッジで１次巻線Ｍ１１に蓄積された励磁電流をトランジスタＴｒ１１により強制的に消滅させ、２次巻線Ｍ１２側から、エッジ信号Ｓ１０２の立ち上がりエッジで負の振幅パルス、立ち下がりエッジで正の振幅パルスが生じるセット用電圧信号Ｓ１０４を得る。この負の振幅パルス及び正の振幅パルスのパルス時間間隔が許容時間範囲内でないときには、ノイズによる振幅パルスであると判断し、許容時間範囲内であるときにのみノイズによる振幅パルスではなく正規の振幅パルスであると判断する。【選択図】          図１
2010206754.tif 000002
【特許請求の範囲】
【請求項１】
トランス手段を有し、
時間幅が規定された方形波の開始エッジにより前記トランス手段の１次巻線のコイル電流の通電を開始または停止させ、前記方形波の終了エッジにより前記トランス手段の１次巻線のコイル電流の通電を停止または開始させることにより、前記トランスの２次巻線側に、前記方形波の開始エッジにより誘起される第１のパルスと前記方形波の終了エッジにより誘起される第２のパルスを得て、
前記第１のパルスと前記第２のパルスの時間間隔が所定の時間範囲にあるときに、前記第１のパルスと前記第２のパルスとから前記方形波相当の波形を復元することを特徴とする信号伝送回路。
【請求項２】
第１および第２のトランス手段と、
入力信号の開始及び終了のエッジに同期して時間幅が規定された第１および第２の方形波を生成するとともに、該第１および第２の方形波をそれぞれ前記第１および第２のトランス手段の１次巻線側に入力するエッジ検出信号生成手段を有し、
前記第１および第２のトランス手段の２次巻線側に生成されたパルス信号に基づきそれぞれの１次巻線側に入力された前記第１および第２の方形波相当の波形を復元しこれらに基づき前記入力信号を復元するようにした信号伝送回路であって、
前記第１および第２のトランス手段のそれぞれにおいて、
前記方形波の開始エッジにより前記トランス手段の１次巻線のコイル電流の通電を開始または停止させ、前記方形波の終了エッジにより前記トランス手段の１次巻線のコイル電流の通電を停止または開始させることにより、前記トランスの２次巻線側に、前記方形波の開始エッジにより誘起される第１のパルスと前記方形波の終了エッジにより誘起される第２のパルスを得て、
前記第１のパルスと前記第２のパルスの時間間隔が所定の時間範囲にあるときに、前記第１のパルスと前記第２のパルスとから前記方形波相当の波形を復元することを特徴とする信号伝送回路。
【請求項３】
前記トランス手段の、前記１次巻線の両端間に接続された、前記１次巻線の蓄積エネルギー消費用の第１のスイッチング素子と、
前記第１のスイッチング素子に一端が接続された、１次巻線励磁用の第２のスイッチング素子と、を備え、
前記第１のスイッチング素子は、前記方形波の開始エッジの検出タイミングで非導通状態または導通状態、前記方形波の終了エッジの検出タイミングで導通状態または非導通状態に制御され、
前記第２のスイッチング素子は、前記方形波の開始エッジの検出タイミングで導通状態または非道通状態、前記方形波の終了エッジの検出タイミングで非導通状態または導通状態に制御されることを特徴とする請求項１または２に記載の信号伝送回路。
【請求項４】
前記第１のスイッチング素子はＰまたはＮチャネル電界効果型トランジスタであり、前記第２のスイッチング素子はドレイン側が前記ＰまたはＮチャネル電界効果型トランジスタに接続されたＮまたはＰチャネル電界効果型トランジスタであって、
前記方形波が前記第１のスイッチング素子及び前記第２のスイッチング素子のゲートに入力されることを特徴とする請求項３記載の信号伝送回路。
【請求項５】
前記２次巻線の出力電圧をそれぞれの基準電圧と比較して前記第１および第２のパルス信号を抽出する第１および第２のコンパレータと、前記第１のパルス信号をトリガーとして第１および第２の時間をそれぞれ計時する第１および第２のタイマーを備え、
前記第１のタイマーが前記第１の時間の計時を完了してから前記第２のタイマーが前記第２の時間の計時を完了するまでの期間に前記第２のパルス信号が抽出されたときに、前記方形波相当の波形を復元することを特徴とする請求項１から請求項４の何れかに記載の信号伝送回路。
【請求項６】
負荷へ流入する電流を通電及び遮断するスイッチング素子と、
前記スイッチング素子の導通及び非導通を指示する制御信号を生成する制御回路と、
前記制御信号に基づいて前記スイッチング素子の制御端子を駆動する駆動回路と、
前記制御回路で生成した前記制御信号を前記駆動回路に伝送する信号伝送部と、を備え、
前記請求項１から請求項５の何れかに記載の信号伝送回路を、前記信号伝送部として利用したことを特徴とする電力変換装置。
【発明の詳細な説明】
【技術分野】
【０００１】
本発明は、トランスを用いて信号伝送を行なう信号伝送回路及び電力変換装置に関する。
【背景技術】
【０００２】
近年の車両機器では、高効率化および省エネ対策を図るために、駆動力を生む電動機の駆動システムに、昇降圧コンバータ及びインバータが搭載されている。
図３は、昇降圧コンバータを用いた車両駆動システムの概略構成を示すブロック図である。
図３において、車両駆動システムには、昇降圧コンバータ１１０２に電力を供給する電源１１０１、電圧の昇降圧を行う昇降圧コンバータ１１０２、昇降圧コンバータ１１０２から出力された電圧を３相電圧に変換するインバータ１１０３及び車両を駆動する電動機１１０４が設けられている。
【０００３】
なお、電源１１０１は、架線からの給電電圧、又は直列接続されたバッテリーから構成することができる。
そして、車両駆動時には、昇降圧コンバータ１１０２は、電源１１０１の電圧（例えば２８０Ｖ）を電動機１１０４の駆動に適した電圧（例えば７５０Ｖ）に昇圧し、インバータ１１０３に供給する。そして、インバータ１１０３のスイッチング素子をオン／オフ制御することにより、昇降圧コンバータ１１０２にて昇圧された電圧を３相電圧に変換して、電動機１１０４の各相に電流を流し、スイッチング周波数を制御することで車両の速度を変化させる。
【０００４】
一方、車両の制動時には、インバータ１１０３は、電動機１１０４の各相に生じる電圧に同期してスイッチング素子をオン／オフ制御することにより整流動作を行い、直流電圧に変換してから、昇降圧コンバータ１１０２に供給する。そして、昇降圧コンバータ１１０２は、電動機１１０４から生じる電圧（例えば７５０Ｖ）を電源１１０１の電圧（例えば２８０Ｖ）に降圧して電力の回生動作を行う。
【０００５】
図４は、図３の昇降圧コンバータの概略構成を示すブロック図である。
図４において、昇降圧コンバータ１１０２には、エネルギーの蓄積を行うリアクトルＬ、電荷の蓄積を行うコンデンサＣ、インバータ１１０３に流入する電流を通電及び遮断するスイッチング素子ＳＷ１、ＳＷ２、スイッチング素子ＳＷ１、ＳＷ２の導通及び非導通を指示する制御信号を生成する制御回路１１１１が設けられている。
【０００６】
そして、スイッチング素子ＳＷ１、ＳＷ２は直列に接続されると共に、スイッチング素子ＳＷ１、ＳＷ２の接続点には、リアクトルＬを介して電源１１０１が接続されている。
ここで、スイッチング素子ＳＷ１には、制御回路１１１１からの制御信号に従ってスイッチング動作を行うＩＧＢＴ（Ｉｎｓｕｌａｔｅｄ Ｇａｔｅ Ｂｉｐｏｌａｒ Ｔｒａｎｓｉｓｔｏｒ）１１０５が設けられ、ＩＧＢＴ１１０５に流れる電流と逆方向に電流を流すフライホイールダイオードＤ１がＩＧＢＴ１１０５に並列に接続されている。
【０００７】
また、スイッチング素子ＳＷ２には、制御回路１１１１からの制御信号に従ってスイッチング動作を行うＩＧＢＴ１１０６が設けられ、ＩＧＢＴ１１０６に流れる電流と逆方向に電流を流すフライホイールダイオードＤ２がＩＧＢＴ１１０６に並列に接続されている。そして、ＩＧＢＴ１１０６のコレクタは、コンデンサＣおよびインバータ１１０３の双方に接続されている。
【０００８】
図５は、昇圧動作時に図４のリアクトルＬに流れる電流の波形を示す図である。
図５において、昇圧動作では、スイッチング素子ＳＷ１のＩＧＢＴ１１０５がオン（導通）すると、ＩＧＢＴ１１０５を介してリアクトルＬに電流Ｉが流れ、ＬＩ2／２のエネルギーがリアクトルＬに蓄積される。
次に、スイッチング素子ＳＷ１のＩＧＢＴ１１０５がオフ（非導通）すると、スイッチング素子ＳＷ２のフライホイールダイオードＤ２に電流が流れ、リアクトルＬに蓄えられたエネルギーがコンデンサＣに送られる。
【０００９】
一方、降圧動作では、スイッチング素子ＳＷ２のＩＧＢＴ１１０６がオン（導通）すると、ＩＧＢＴ１１０６を介してリアクトルＬに電流Ｉが流れ、ＬＩ2／２のエネルギーがリアクトルＬに蓄積される。
次に、スイッチング素子ＳＷ２のＩＧＢＴ１１０６がオフ（非導通）すると、スイッチング素子ＳＷ１のフライホイールダイオードＤ１に電流が流れ、リアクトルＬに蓄えられたエネルギーが電源１１０１へ回生される。
【００１０】
ここで、フライホイールダイオードＤ２（昇圧動作の場合）又はスイッチング素子ＳＷ２のＩＧＢＴ１１０６（降圧動作の場合）のオン時比率（ＯＮ  Ｄｕｔｙ）を変更することで、昇降圧の電圧を調整することが可能であり、概略の電圧値は以下の（１）式にて求めることができる。
ＶL／ＶH＝ＯＮ Ｄｕｔｙ（％）      ……（１）
ただし、ＶLは電源１１０１の電圧、ＶHはコンデンサＣの電圧、ＯＮ  ＤｕｔｙはフライホイールダイオードＤ２（昇圧動作の場合）又はスイッチング素子ＳＷ２（降圧動作の場合）のスイッチング周期に対する導通期間の割合である。
【００１１】
ここで、実際には負荷の変動、電源電圧ＶLの変動などがあるので、電圧ＶH、ＶLを監視し、昇降圧された電圧が目標値となるように、オン時比率（ＯＮ  Ｄｕｔｙ）の制御が行われている。
図３、４の昇降圧コンバータ１１０２に対し、絶縁トランスを用いて信号を伝送するパワーエレクトロニクス機器を適用することが提案されている（例えば特許文献１参照）。図６は、そのようなパワーエレクトロニクス機器の一つであるＩＰＭ（Ｉｎｔｅｌｉｇｅｎｔ  Ｐｏｗｅｒ  Ｍｏｄｕｌｅ）及びその周辺回路の概略構成を示すブロック図である。
【００１２】
スイッチング素子ＳＷ１、ＳＷ２、スイッチング素子ＳＷ１、ＳＷ２の導通及び非導通を指示する制御信号を生成する後述のＣＰＵ１１１１ａ側は、車体筐体に接地される。このＣＰＵ１１１１ａ側は低圧系であり、スイッチング素子ＳＷ１、ＳＷ２に接続される後述の保護機能付きゲートドライバＩＣ１１１５Ｕ及び１１１５Ｄ側は高圧系となる。このため、スイッチング素子ＳＷ１、ＳＷ２の破壊などの事故が発生しても、人体が危険に晒されることがないようにするために、絶縁トランスやフォトカプラ等、を用いて電気的に絶縁しながら、ＣＰＵ１１１１ａ側と保護機能付きゲートドライバＩＣ１１１５Ｕ及び１１１５Ｄ側との間で信号の授受が行われる。
【００１３】
制御回路１１１１は、中央演算処理ＩＣ、或いは論理ＩＣ及び中央演算処理ＩＣ、等が搭載されたＬＳＩなどで構成されるＣＰＵ１１１１ａを備えている。このＣＰＵ１１１１ａでは、スイッチング素子ＳＷ１、ＳＷ２の導通及び非導通を指示する制御信号としてＰＷＭ信号をそれぞれ生成する。
また、スイッチング素子ＳＷ１、ＳＷ２は、それぞれ下アーム用、上アーム用として動作する。
【００１４】
そして、上アーム用のスイッチング素子ＳＷ２を構成するＩＧＢＴ１１０６が形成されたチップには、チップの温度変化に起因するダイオードＤＵ２のＶＦ変化を測定原理として用いた温度センサ、及び抵抗ＲＵ１、ＲＵ２を介してＩＧＢＴ１１０６の主回路電流を分流した電流を検出することにより主回路電流を検出する電流センサが設けられている。
同様に、下アーム用のスイッチング素子ＳＷ１を構成するＩＧＢＴ１１０５が形成されたチップには、チップの温度変化に起因するダイオードＤＤ２のＶＦ変化を測定原理として用いた温度センサ、及びＩＧＢＴ１１０５の主回路電流を分流した電流を抵抗ＲＤ１、ＲＤ２を介して検出することにより主回路電流を検出する電流センサが設けられている。
【００１５】
そして、上アーム側には、温度センサからの過熱検知信号ＳＵ６及び電流センサからの過熱検知信号ＳＵ５を監視しながら、ＩＧＢＴ１１０６の制御端子を駆動するためのゲート信号ＳＵ４を生成する保護機能付きゲートドライバＩＣ１１１５Ｕが設けられると共に、ＩＧＢＴ１１０６の温度に対応したＰＷＭ信号を生成するアナログ−ＰＷＭ変換器ＣＵが設けられている。なお、保護機能付きゲートドライバＩＣ１１１５Ｕには、スイッチング素子ＳＷ２の状態信号を生成する自己診断回路を設けることができる。
【００１６】
同様に、下アーム側には、温度センサからの過熱検知信号ＳＤ６及び電流センサからの過熱検知信号ＳＤ５を監視しながら、ＩＧＢＴ１１０５の制御端子を駆動するためのゲート信号ＳＤ４を生成する保護機能付きゲートドライバＩＣ１１１５Ｄが設けられると共に、ＩＧＢＴ１１０５の温度に対応したＰＷＭ信号を生成するアナログ−ＰＷＭ変換器ＣＤが設けられている。なお、保護機能付きゲートドライバＩＣ１１１５Ｄには、スイッチング素子ＳＷ１の状態信号を生成する自己診断回路を設けることができる。
【００１７】
また、制御回路１１１１は、ＣＰＵ１１１１ａから出力されたＰＷＭ信号を、保護機能付きゲートドライバＩＣ１１１５Ｕ及び１１１５Ｄに伝送すると共に、保護機能付きゲートドライバＩＣ１１１５Ｕ、１１１５Ｄからのスイッチング素子ＳＷ１、ＳＷ２の過電流を検出したことを通知するためのアラーム信号ＳＵ２、ＳＤ２、或いは、アナログ−ＰＷＭ変換器ＣＵ、ＣＤからのチップが過熱状態であることを検出したことを通知するためのアラーム信号ＳＵ３、ＳＤ３を、ＣＰＵ１１１１ａに絶縁伝送するための絶縁トランスを用いた信号伝送部１１１７を備えている。
ＣＰＵ１１１１ａは、保護機能付きゲートドライバＩＣ１１１５Ｕ、１１１５Ｄ或いは、アナログ−ＰＷＭ変換器ＣＵ、ＣＤからのアラーム信号ＳＵ２、ＳＤ２、ＳＵ３、ＳＤ３が通知されたときには、ＰＷＭ信号の生成を停止する。
【００１８】
また、保護機能付きゲートドライバＩＣ１１１５Ｕ、１１１５Ｄ、或いは、アナログ−ＰＷＭ変換器ＣＵ、ＣＤでは、それぞれ電流センサ或いは温度センサの出力信号が、ＩＧＢＴ１１０５、１１０６が破壊されることのない閾値を下回り、且つこの状態が一定時間経過した後に、アラーム信号を解除する。また、さらに細かい監視を行なう場合には、温度センサの出力信号のアナログ値をＰＷＭ変換によりデジタル信号にし、これを、絶縁トランスを介して信号伝送を行なう信号伝送部１１１７を介してＣＰＵ１１１１ａに絶縁伝送し、ＣＰＵ１１１１ａで、伝送されたＰＷＭ信号からＩＧＢＴのチップ温度を算出し、予め設けられた複数段階の閾値に応じて、スイッチング周波数の段階的な低下及びスイッチングの停止を行なう。
ここで、前記信号伝送部１１１７は、図６に示すように、絶縁トランスにより信号伝送を行なう信号伝送回路ＴＵを複数備えており、この信号伝送回路ＴＵは信号線毎に設けられている。
【００１９】
図７（ａ）は、絶縁トランスの構成を示す断面図、図７（ｂ）は、絶縁トランスの概略構成の一例を示す平面図である。
図７において、半導体基板２０１１には引き出し配線層２０１２が埋め込まれると共に、半導体基板２０１１上には１次巻線パターン２０１４が形成されている。そして、１次巻線パターン２０１４上には平坦化膜２０１５が形成され、平坦化膜２０１５上には、２次巻線パターン２０１７が形成され、２次巻線パターン２０１７は保護膜２０１８にて覆われている。そして、保護膜２０１８には、２次巻線パターン２０１７の中心を露出させる開口部２０１９が形成され、開口部２０１９を介して２次巻線パターン２０１７の中心にボンディングワイヤを接続することにより、２次巻線パターン２０１７からの引き出しを行なうことができる。
【００２０】
なお、例えば、１次巻線パターン２０１４および２次巻線パターン２０１７の巻線幅は５〜１０μｍ、厚みは４〜５μｍ、巻線の最外径は５００μｍとすることができる。
そして、１次巻線パターン２０１４に印加された電流により生成された磁束φ＝Ｌ１＊Ｉ１の大部分が２次巻線パターン２０１７の鎖交磁束となり、２次巻線パターン２０１７の両端には、ｄφ／ｄＴに比例するＭ２１＊ｄＩ１／ｄＴの電圧が得られる。ただし、Ｌ１は１次巻線パターン２０１４の自己インダクタンス、Ｉ１は１次巻線パターン２０１４に流れる電流、Ｍ２１は１次巻線パターン２０１４と２次巻線パターン２０１７の相互インダクタンスである。
【００２１】
このように、絶縁トランスによる信号伝送では、１次巻線に流れる電流の微分に相当する電圧が得られるので、ロジック信号を伝送する場合には、キャリア信号伝送方式または状態遷移信号伝送方式による信号処理が行われる。
ここで、キャリア信号伝送方式では、伝送されるロジック信号の論理に基づいて振幅変調された高周波キャリア信号にて１次巻線を励磁し、２次巻線の出力電圧をローパスフィルタにて平滑してロジック信号が取り出される。
【００２２】
状態遷移信号伝送方式では、伝送されるロジック信号の状態遷移（ロジック信号の立ち上がりエッジおよび立ち下がりエッジ）を検出し、ロジック信号の立ち上がりでパルスを伝送するセット用絶縁トランスから得られるパルス信号でフリップフロップをセットし、ロジック信号の立ち下がりでパルスを伝送するリセット用絶縁トランスから得られるパルス信号でフリップフロップをリセットすることで、ロジック信号の状態が取り出される。
【００２３】
一方、微細加工技術を適用して形成された絶縁トランスは、銅線を用いた巻線型トランスに比べて、巻線の導体断面積が小さく、許容直流電流は遥かに少ない。この許容直流電流は、電流が流れることによって巻線の導体抵抗により発生する消費電力に起因して発生するジュール熱に応じて規定されている。このため、微細加工技術を適用して形成された絶縁トランスを用いる場合、絶縁トランスに電流を流す期間を短くして電流を流すことにより、平均電流を許容直流電流以下にする必要がある。
ここで、キャリア信号伝送方式では、ロジック信号がハイレベルの期間に常にキャリア信号にて絶縁トランスが励磁され、絶縁トランスの巻線抵抗による発熱を抑えることができない。このため、微細加工技術を適用して形成された絶縁トランスによる信号伝送では状態遷移信号伝送方式を用いることが提案されている。
【００２４】
図８は、絶縁トランスを用いた信号伝送回路ＴＵの概略構成を示す回路図、図９は信号伝送回路ＴＵの各部の信号波形を示す図である。
信号伝送回路ＴＵは、入力信号の立ち上がりエッジおよび立ち下がりエッジを検出する変換回路ＫＵ０、入力信号の立ち上がりエッジに応じたパルス電流を伝送するセット用絶縁トランスＴＬ１及びパルス信号の立ち下がりエッジに応じたパルス電流を伝送するリセット用絶縁トランスＴＬ２を備えている。これらセット用絶縁トランスＴＬ１及びリセット用絶縁トランスＴＬ２は、例えば空芯型絶縁トランスで構成される。
【００２５】
そして、変換回路ＫＵ０において、抵抗Ｒ１の一端はコンデンサＣ１を介して接地されるとともに、排他的論理和回路Ｕ１Ａの一方の入力端子に接続され、抵抗Ｒ１の他端は信号源Ｇに接続されている。また、排他的論理和回路Ｕ１Ａの他方の入力端子には信号源Ｇが接続される。また、否定論理積回路Ｕ３Ａの一方の入力端子には、排他的論理和回路Ｕ１Ａの出力端子が接続されるとともに、否定論理積回路Ｕ３Ａの他方の入力端子には信号源Ｇが接続されている。さらに、否定論理積回路Ｕ３Ｂの一方の入力端子には、排他的論理和回路Ｕ１Ａの出力端子が接続されるとともに、否定論理積回路Ｕ３Ｂの他方の入力端子には、インバータＵ２Ｂを介して信号源Ｇが接続されている。
【００２６】
また、セット用絶縁トランスＴＬ１には１次巻線Ｍ１及び２次巻線Ｍ２が設けられ、リセット用絶縁トランスＴＬ２には１次巻線Ｍ３及び２次巻線Ｍ４が設けられている。
そして、セット用絶縁トランスＴＬ１の１次巻線Ｍ１の両端はダイオードＤ１を介して接続されるとともに、セット用絶縁トランスＴＬ１の１次巻線Ｍ１の一端は、Ｎチャネル電界効果型トランジスタＴｒ１のドレインに接続され、セット用絶縁トランスＴＬ１の１次巻線Ｍ１の他端は電源電位Ｖｃｃ１に接続されている。
【００２７】
また、リセット用絶縁トランスＴＬ２の１次巻線Ｍ３の両端はダイオードＤ２を介して接続されるとともに、リセット用絶縁トランスＴＬ２の１次巻線Ｍ３の一端は、Ｎチャネル電界効果型トランジスタＴｒ２のドレインに接続され、セット用絶縁トランスＴＬ２の１次巻線Ｍ３の他端は電源電位Ｖｃｃ１に接続されている。
そして、否定論理積回路Ｕ３Ａの出力端子はインバータＵ２Ｃを介してＮチャネル電界効果型トランジスタＴｒ１のゲートに接続され、否定論理積回路Ｕ３Ｂの出力端子はインバータＵ２Ｄを介してＮチャネル電界効果型トランジスタＴｒ２のゲートに接続されている。
【００２８】
一方、セット用絶縁トランスＴＬ１の２次巻線Ｍ２の一端は、抵抗Ｒ３を介して電源電位Ｖｃｃ２に接続されると共に、コンパレータＵ４Ａの反転入力端子に接続され、セット用絶縁トランスＴＬ１の２次巻線Ｍ２の他端は、抵抗Ｒ２を介して接地されると共に、コンパレータＵ４Ａの非反転入力端子に接続される。
また、リセット用絶縁トランスＴＬ２の２次巻線Ｍ４の一端は、抵抗Ｒ５を介して電源電位Ｖｃｃ２に接続されると共に、コンパレータＵ４Ｂの非反転入力端子に接続され、リセット用絶縁トランスＴＬ２の２次巻線Ｍ４の他端は、抵抗Ｒ４を介して接地されると共に、コンパレータＵ４Ｂの反転入力端子に接続される。
【００２９】
コンパレータＵ４Ａの出力端子はフリップフロップＵ５Ａのクロック端子ＣＬＫに接続され、コンパレータＵ４Ｂの出力端子はフリップフロップＵ５Ａのリセット端子ＣＬＲに接続されている。また、フリップフロップＵ５Ａの入力端子Ｄは電源電位Ｖｃｃ２に接続されるとともに、フリップフロップＵ５Ａの非反転出力端子Ｑは抵抗Ｒ６を介して接地されている。なお、抵抗Ｒ６は後段の負荷を表すもので、実際の回路では省略してよい。
【００３０】
そして、信号源Ｇにて生成された入力信号Ｓ１（図９（ａ））が変換回路ＫＵ０に入力されると、抵抗Ｒ１およびコンデンサＣ１からなる遅延回路にて遅延させられ、入力信号Ｓ１と、この入力信号Ｓ１を遅延させた信号とが排他的論理和回路Ｕ１Ａに入力される。そして、排他的論理和回路Ｕ１Ａにてこれらの信号の排他論理和がとられることにより、入力信号Ｓ１の論理値“０”から論理値“１”への立ち上がりエッジまたは論理値“１”から論理値“０”への立ち下がりエッジに同期したエッジ信号Ｓ３が抽出される（図９（ｂ））。そして、このエッジ信号Ｓ３は否定論理積回路Ｕ３Ａ、Ｕ３Ｂに入力されるとともに、否定論理積回路Ｕ３Ａには入力信号Ｓ１が入力され、否定論理積回路Ｕ３ＢにはインバータＵ２Ｂを介して入力信号Ｓ１が入力される。
【００３１】
そして、時刻ｔ０１、ｔ０３において、否定論理積回路Ｕ３Ａにてエッジ信号Ｓ３と入力信号Ｓ１との否定論理積がとられ、さらにインバータＵ２Ｃにより反転されることにより、立ち上がりエッジパルスＳ４が生成されるとともに（図９（ｃ））、時刻ｔ０２、ｔ０４において、論理積回路Ｕ３Ｂにてエッジ信号Ｓ３と入力信号Ｓ１の反転信号との否定論理積がとられ、さらにインバータＵ２Ｄにより反転されることにより、立ち下がりエッジパルスＳ５が生成される（図９（ｄ））。
【００３２】
そして、否定論理積回路Ｕ３ＡおよびインバータＵ２Ｃにて生成された立ち上がりエッジパルスＳ４はＮチャネル電界効果型トランジスタＴｒ１のゲートに入力されるとともに、否定論理積回路Ｕ３ＢおよびインバータＵ２Ｄにて生成された立ち下がりエッジパルスＳ５はＮチャネル電界効果型トランジスタＴｒ２のゲートに入力され、入力信号Ｓ１の立ち上がりと立ち下がりとでは、セット用絶縁トランスＴＬ１の１次巻線Ｍ１およびリセット用絶縁トランスＴＬ２の１次巻線Ｍ３に流れるパルス電流のタイミングが互いに異なるような動作を行うことができる。
【００３３】
そして、立ち上がりエッジパルスＳ４がＮチャネル電界効果型トランジスタＴｒ１のゲートに入力されると、Ｎチャネル電界効果型トランジスタＴｒ１がオンし、セット用絶縁トランスＴＬ１の１次巻線Ｍ１が励磁される。また、立ち下がりエッジパルスＳ５がＮチャネル電界効果型トランジスタＴｒ２のゲートに入力されると、Ｎチャネル電界効果型トランジスタＴｒ２がオンし、リセット用絶縁トランスＴＬ２の１次巻線Ｍ３が励磁される。
【００３４】
そして、セット用絶縁トランスＴＬ１の１次巻線Ｍ１が励磁されると、セット用絶縁トランスＴＬ１の２次巻線Ｍ２に起電力が発生し、セット用絶縁トランスＴＬ１の２次巻線Ｍ２に発生した起電力は、コンパレータＵ４Ａに導かれる。また、リセット用絶縁トランスＴＬ２の１次巻線Ｍ３が励磁されると、リセット用絶縁トランスＴＬ２の２次巻線Ｍ４に起電力が発生し、リセット用絶縁トランスＴＬ２の２次巻線Ｍ４に発生した起電力は、コンパレータＵ４Ｂに導かれる。
【００３５】
そして、入力信号Ｓ１の立ち上がりエッジでは、セット用絶縁トランスＴＬ１の２次巻線Ｍ２の端子電圧のレベルの変化に伴って、コンパレータＵ４ＡからパルスＳ１４が送出され（図９（ｅ））、入力信号Ｓ１の立ち下がりエッジでは、リセット用絶縁トランスＴＬ２の２次巻線Ｍ４の端子電圧のレベルの変化に伴って、コンパレータＵ４ＢからパルスＳ１５が送出される（図９（ｆ））。そして、これらのパルスＳ１４、Ｓ１５がフリップフロップＵ５Ａに入力されると、コンパレータＵ４ＡからのパルスＳ１４にてフリップフロップＵ５Ａがセットされるとともに、コンパレータＵ４ＢからのパルスＳ１５にてフリップフロップＵ５Ａがリセットされ、送信側の入力信号Ｓ１が復元された出力信号Ｓ１６がフリップフロップＵ５Ａの非反転出力端子Ｑから出力される（図９（ｇ））。
【先行技術文献】
【特許文献】
【００３６】
【特許文献１】特開２００８−１７６５３号公報
【発明の概要】
【発明が解決しようとする課題】
【００３７】
ところで、上述の昇降圧コンバータに適用される、昇降圧コンバータ用インテリジェントモジュールは、例えば図１０の実装状態を示す断面図のように構成されている。
図１０において、放熱の役割を行う銅ベース７１上には、絶縁用セラミックス基板７２を介して、ＩＧＢＴチップ７３ａおよびＦＷＤ（フライホイールダイオード）チップ７３ｂが実装されている。そして、ＩＧＢＴチップ７３ａおよびＦＷＤチップ７３ｂは、ボンディングワイヤ７４ａ〜７４ｃを介して互いに接続されるとともに、主回路電流の取り出しを行う主端子７７、７８に接続されている。また、ＩＧＢＴチップ７３ａおよびＦＷＤチップ７３ｂ上には、ＩＧＢＴのゲート駆動および監視を行う回路基板７５が配置され、ＩＧＢＴチップ７３ａ、ＦＷＤチップ７３ｂおよび回路基板７５はモールド樹脂７６にて封止されている。ここで、ＩＧＢＴチップ７３ａおよびＦＷＤチップ７３ｂは、負荷へ流入する電流を通電および遮断するスイッチング素子を構成することができ、上アーム用および下アーム用として動作するようにスイッチング素子を直列に接続することができる。また、回路基板７５には、スイッチング素子の導通および非導通を指示する制御信号を生成する制御回路を設けることができる。
【００３８】
そして、主回路電流は、主端子７７、７８のみならず、主端子７７、７８とＩＧＢＴチップ７３ａおよびＦＷＤチップ７３ｂを接続するボンディングワイヤ７４ａ〜７４ｃにも流れるが、ボンディングワイヤ７４ａ〜７４ｃは回路基板７５の直近に配置されるので、ボンディングワイヤ７４ａ〜７４ｃを流れる主回路電流で生成される磁界による影響が問題となる。この主回路電流は、通常動作では最高でも２５０Ａ程度であるが、例えば発進時あるいは、空転後の負荷等では、９００Ａ以上流れる場合が有る。
このような大電流を伴うスイッチングによる磁界変化に起因するノイズが図８に示す信号伝送回路ＴＵの各部の信号に重畳されると、結果的に昇降圧コンバータの誤動作を引き起こすという問題がある。
【００３９】
図１１は、主回路電流の変化によって誘導されたノイズが、入力信号Ｓ１に重畳された伝送信号波形を示す図である。
図１１において、下アーム側のＩＧＢＴ１１０５が導通してＩＧＢＴ１１０５に流れる電流Ｉｃが０Ａから６００Ａに変化している間に、この電流Ｉｃの変化の時間微分に相当する電圧波形がノイズ（グリッチノイズ）として信号伝送回路ＴＵの入力信号Ｓ１に重畳しているのが判る（領域ＡＲ１）。なお、図中のＶｃｅはＩＧＢＴ１１０５のコレクタ・エミッタ間電圧である。
【００４０】
図１１は、入力信号Ｓ１にノイズが重畳された場合を表したものであるが、信号伝送回路の各部の信号にも同様にノイズが重畳される。信号伝送回路ＴＵでは、特に、セット用絶縁トランスＴＬ１及びリセット用絶縁トランスＴＬ２の出力信号に基づいて入力信号Ｓ１を復元しているため、ノイズによる入力信号Ｓ１の復元精度の低下を抑制するためにも、セット用絶縁トランスＴＬ１及びリセット用絶縁トランスＴＬ２の出力信号からノイズ等による影響を除去することが望まれている。
そこで、この発明は、上記従来の未解決の問題点に着目してなされたものであり、外部からの磁界変化によるノイズの影響を低減しつつ絶縁状態で信号授受を行なうことの可能な、信号伝送回路及び電力変換装置を提供することを目的としている。
【課題を解決するための手段】
【００４１】
上記目的を達成するために、請求項１記載の信号伝送回路は、トランス手段を有し、時間幅が規定された方形波の開始エッジにより前記トランス手段の１次巻線のコイル電流の通電を開始または停止させ、前記方形波の終了エッジにより前記トランス手段の１次巻線のコイル電流の通電を停止または開始させることにより、前記トランスの２次巻線側に、前記方形波の開始エッジにより誘起される第１のパルスと前記方形波の終了エッジにより誘起される第２のパルスを得て、前記第１のパルスと前記第２のパルスの時間間隔が所定の時間範囲にあるときに、前記第１のパルスと前記第２のパルスとから前記方形波相当の波形を復元することを特徴としている。
【００４２】
また、請求項２記載の信号伝送回路は、第１および第２のトランス手段と、入力信号の開始及び終了のエッジに同期して時間幅が規定された第１および第２の方形波を生成するとともに、該第１および第２の方形波をそれぞれ前記第１および第２のトランス手段の１次巻線側に入力するエッジ検出信号生成手段を有し、前記第１および第２のトランス手段の２次巻線側に生成されたパルス信号に基づきそれぞれの１次巻線側に入力された前記第１および第２の方形波相当の波形を復元しこれらに基づき前記入力信号を復元するようにした信号伝送回路であって、前記第１および第２のトランス手段のそれぞれにおいて、前記方形波の開始エッジにより前記トランス手段の１次巻線のコイル電流の通電を開始または停止させ、前記方形波の終了エッジにより前記トランス手段の１次巻線のコイル電流の通電を停止または開始させることにより、前記トランスの２次巻線側に、前記方形波の開始エッジにより誘起される第１のパルスと前記方形波の終了エッジにより誘起される第２のパルスを得て、前記第１のパルスと前記第２のパルスの時間間隔が所定の時間範囲にあるときに、前記第１のパルスと前記第２のパルスとから前記方形波相当の波形を復元することを特徴としている。
【００４３】
また、請求項３記載の信号伝送回路は、前記トランス手段の、前記１次巻線の両端間に接続された、前記１次巻線の蓄積エネルギー消費用の第１のスイッチング素子と、前記第１のスイッチング素子に一端が接続された、１次巻線励磁用の第２のスイッチング素子と、を備え、前記第１のスイッチング素子は、前記方形波の開始エッジの検出タイミングで非導通状態または導通状態、前記方形波の終了エッジの検出タイミングで導通状態または非導通状態に制御され、前記第２のスイッチング素子は、前記方形波の開始エッジの検出タイミングで導通状態または非道通状態、前記方形波の終了エッジの検出タイミングで非導通状態または導通状態に制御されることを特徴としている。
【００４４】
さらに、請求項４に係る信号伝送回路は、前記第１のスイッチング素子はＰまたはＮチャネル電界効果型トランジスタであり、前記第２のスイッチング素子はドレイン側が前記ＰまたはＮチャネル電界効果型トランジスタに接続されたＮまたはＰチャネル電界効果型トランジスタであって、前記方形波が前記第１のスイッチング素子及び前記第２のスイッチング素子のゲートに入力されることを特徴としている。
【００４５】
さらにまた、請求項５に係る信号伝送回路は、前記２次巻線の出力電圧をそれぞれの基準電圧と比較して前記第１および第２のパルス信号を抽出する第１および第２のコンパレータと、前記第１のパルス信号をトリガーとして第１および第２の時間をそれぞれ計時する第１および第２のタイマーを備え、前記第１のタイマーが前記第１の時間の計時を完了してから前記第２のタイマーが前記第２の時間の計時を完了するまでの期間に前記第２のパルス信号が抽出されたときに、前記方形波相当の波形を復元することを特徴としている。
【００４６】
また、本発明の請求項６に係る電力変換装置は、負荷へ流入する電流を通電及び遮断するスイッチング素子と、前記スイッチング素子の導通及び非導通を指示する制御信号を生成する制御回路と、前記制御信号に基づいて前記スイッチング素子の制御端子を駆動する駆動回路と、前記制御回路で生成した前記制御信号を前記駆動回路に伝送する信号伝送部と、を備え、前記請求項１から請求項５の何れかに記載の信号伝送回路を、前記信号伝送部として利用したことを特徴としている。
【発明の効果】
【００４７】
本発明に係る信号伝送回路によれば、２次巻線側に第１のパルスが生成された時点から第２のパルスが生成されるまでの時間間隔が所定の時間範囲にあるときに、前記第１のパルスと前記第２のパルスから前記方形波相当の波形を復元するため、２次巻線側にノイズ等によりパルスが生じた場合に、この誤ったパルスに基づき、前記方形波相当の波形が復元される不具合を低減することができ、ノイズ等により、方形波相当の波形の復元精度が低下することを抑制し、信号伝送の伝送精度を向上させることができる。
【００４８】
特に、請求項２に係る信号伝送回路によれば、入力信号の開始及び終了のエッジに同期して時間幅が規定された第１および第２の方形波を生成し、当該第１および第２の方形波をトランス手段の１次巻線側に与え、これらの方形波に対応してそれぞれトランス手段の２次巻線側で生成される２つのパルスに基づき２次巻線側で前記方形波相当の波形を復元して入力信号の開始及び終了のエッジを復元し、最終的には入力信号を復元するものであって、トランス手段の２次巻線側で生成される２つのパルスの時間間隔により２次巻線側で方形波相当の波形を復元するか否かを決めるので、入力信号の開始及び終了のエッジの復元精度を高めることができ、これにより入力信号の復元精度を高めることができる。
また、本発明の電力変換装置によれば、制御回路で生成した制御信号を駆動回路に伝送する信号伝送部として、ノイズの影響を低減することのできる信号伝送回路を用いたため、ノイズによる電力変換装置の誤動作を低減し、信頼性のより高い電力変換装置を得ることができる。
【図面の簡単な説明】
【００４９】
【図１】本発明の一実施形態に係る信号伝送回路の回路構成を示す図である。
【図２】図１の信号伝送回路の各部の信号波形を示すタイミングチャートである。
【図３】昇降圧コンバータを用いた車両駆動システムの概略構成を示すブロック図である。
【図４】図３の昇降圧コンバータの概略構成を示すブロック図である。
【図５】昇圧動作時に図４のリアクトルに流れる電流の波形を示す図である。
【図６】信号伝送回路が適用される昇降圧コンバータ用インテリジェントパワーモジュール及びその周辺回路を含めた概略構成を示すブロック図である。
【図７】図７（ａ）は、空芯型絶縁トランスの概略構成の一例を示す断面図、図７（ｂ）は、空芯型絶縁トランスの概略構成の一例を示す平面図である。
【図８】従来の信号伝送回路の回路構成を示す図である。
【図９】図８の信号伝送回路の各部の信号波形を示す図である。
【図１０】昇降圧コンバータ用インテリジェントパワーモジュールの実装状態を示す断面図である。
【図１１】主回路電流の変化によって誘導されたノイズが重畳された信号伝送波形を示す図である。
【発明を実施するための形態】
【００５０】
以下、本発明の実施の形態を説明する。
この実施の形態は、本発明の一実施形態に係る信号伝送回路ＴＵを、昇降圧コンバータ用のインテリジェントモジュール（ＩＰＭ：Ｉｎｔｅｌｉｇｅｎｔ  Ｐｏｗｅｒ  Ｍｏｄｕｌｅ）に適用したものであって、図１は、その概略構成を示すブロック図である。また、図２は、信号伝送回路ＴＵの各部の信号波形を示す図である。
【００５１】
信号伝送回路ＴＵは、信号伝送回路ＴＵに入力される入力信号Ｓ１００の立ち上がりエッジ（開始エッジ）及び立ち下がりエッジ（終了エッジ）を検出する信号変換部（エッジ検出信号生成手段）１、入力信号Ｓ１００の立ち上がりエッジに応じたパルス電流を伝送するセット用絶縁トランスＴＬ１１、入力信号Ｓ１００の立ち下がりエッジに応じたパルス電流を伝送するリセット用絶縁トランスＴＬ１２、セット用絶縁トランスＴＬ１１及びリセット用絶縁トランスＴＬ１２により伝送された信号を復元する信号復元部２と、を備えている。
【００５２】
信号変換部１において、抵抗Ｒ１１の一端はコンデンサＣ１１を介して接地されるとともに、波形成型用のバッファ１２を介して排他的論理和回路１３の一方の入力端子に接続される。抵抗Ｒ１１の他端は、例えばＰＷＭ信号等の入力信号Ｓ１００が入力される信号伝送回路ＴＵの入力端に接続されている。また、抵抗Ｒ１１とコンデンサＣ１１とで、入力信号Ｓ１００を予め設定した規定時間だけ遅延させる積分回路を構成している。これにより、後述の信号Ｓ１０２およびＳ１０３は、時間幅が上記規定時間で規定された方形波の信号となるのである。
【００５３】
排他的論理和回路１３の他方の入力端子は、前記入力信号Ｓ１００の入力端に直接接続され、排他的論理和回路１３の出力端子は、論理積回路１５Ａの一方の入力端子に接続されると共に論理積回路１５Ｂの一方の入力端子に接続される。論理積回路１５Ａの他方の入力端子は、入力信号Ｓ１００の入力端に接続され、論理積回路１５Ｂの他方の入力端子は、インバータ１４を介して入力信号Ｓ１００の入力端に接続される。
【００５４】
前記セット用絶縁トランスＴＬ１１及びリセット用絶縁トランスＴＬ１２は、例えば空芯型絶縁トランスで構成され、セット用絶縁トランスＴＬ１１には１次巻線Ｍ１１及び２次巻線Ｍ１２が設けられ、リセット用絶縁トランスＴＬ１２には１次巻線Ｍ１３及び２次巻線Ｍ１４が設けられている。
そして、セット用絶縁トランスＴＬ１１の１次巻線Ｍ１１の一端は、電源電位Ｖｃｃ１に接続されると共に、１次巻線Ｍ１１に蓄積されたエネルギーを強制的に消滅させるためのＰチャネル電界効果型トランジスタＴｒ１１のソースに接続される。１次巻線Ｍ１１の他端は、Ｐチャネル電界効果型トランジスタＴｒ１１のドレインに接続されると共に、１次巻線Ｍ１１に励磁電流を供給するためのＮチャネル電界効果型トランジスタＴｒ１２のドレインに接続される。このＮチャネル電界効果型トランジスタＴｒ１２のソースは接地されている。
【００５５】
同様に、リセット用絶縁トランスＴＬ１２の１次巻線Ｍ１３の一端は、電源電位Ｖｃｃ１に接続されると共に、１次巻線Ｍ１３に蓄積されたエネルギーを強制的に消滅させるためのＰチャネル電界効果型トランジスタＴｒ１３のソースに接続される。このセット用絶縁トランスＴＬ１２の１次巻線Ｍ１３の他端は、Ｐチャネル電界効果型トランジスタＴｒ１３のドレインに接続されると共に、１次巻線Ｍ１３に励磁電流を供給するためのＮチャネル電界効果型トランジスタＴｒ１４のドレインに接続される。このＮチャネル電界効果型トランジスタＴｒ１４のソースは接地されている。
そして、Ｐチャネル電界効果型トランジスタＴｒ１１及びＮチャネル電界効果型トランジスタＴｒ１２のゲートには論理積回路１５Ａの出力端子が接続され、Ｐチャネル電界効果型トランジスタＴｒ１３及びＮチャネル電界効果型トランジスタＴｒ１４のゲートには論理積回路１５Ｂの出力端子が接続される。
【００５６】
一方、セット用絶縁トランスＴＬ１１の２次巻線Ｍ１２の一端は、信号復元部２に接続され、他端は、コンデンサＣ１２を介して低電位側の基準電位（接地電位もしくは別に設けた電位）に接続されると共に、直列に接続された抵抗Ｒ１２及びＲ１３の接続点に接続される。また、リセット用絶縁トランスＴＬ１２の２次巻線Ｍ１４の一端は、信号復元部２に接続され、他端は、前記コンデンサＣ１２を介して低電位側の基準電位に接続されると共に、前記抵抗Ｒ１２及びＲ１３の接続点に接続される。この直列に接続された抵抗Ｒ１２及びＲ１３は、抵抗Ｒ１２側の端部が電源電位Ｖｃｃ２に接続され、抵抗Ｒ１３側の端部が低電位側の基準電位に接続されている。
【００５７】
このため、抵抗Ｒ１２及びＲ１３間の電圧を基準電圧Ｖｔｈ１としたとき、２次巻線Ｍ１２の、信号復元部２と接続される側の端部は、基準電圧Ｖｔｈ１を基準として正値、負値をとるセット用電圧信号Ｓ１０４を発生することになる。同様に、２次巻線Ｍ１４の、信号復元部２と接続される側の端部は、基準電圧Ｖｔｈ１を基準として正値及び負値をとるリセット用電圧信号Ｓ１０５を発生することになる。
【００５８】
信号復元部２は、セット用絶縁トランスＴＬ１１からのセット用電圧信号Ｓ１０４に生じた負の振幅パルスを検出するための負パルス検出用コンパレータ２１及び正の振幅パルスを検出するための正パルス検出用コンパレータ２２と、リセット用絶縁トランスＴＬ１２からのリセット用電圧信号Ｓ１０５に生じた負の振幅パルスを検出するための負パルス検出用コンパレータ２３及び正の振幅パルスを検出するための正パルス検出用コンパレータ２４と、時間間隔計測ユニット２５及び２６と、Ｄ型のフリップフロップ２７と、を備える。
そして、セット用絶縁トランスＴＬ１１の２次巻線Ｍ１２の一端は、負パルス検出用コンパレータ２１の反転入力端子に接続されると共に正パルス検出用コンパレータ２２の非反転入力端子に接続される。
【００５９】
また、負パルス検出用コンパレータ２１の非反転入力端子は、コンデンサＣ１３を介して低電位側の基準電位に接続されると共に、直列に接続された抵抗Ｒ１５及びＲ１６の接続点に接続され、当該接続点の電位である基準電圧Ｖｔｈ２が印加される。正パルス検出用コンパレータ２２の反転入力端子は、コンデンサＣ１４を介して低電位側の基準電位に接続されると共に、直列に接続された抵抗Ｒ１４及びＲ１５の接続点に接続され、当該接続点の電位である基準電圧Ｖｔｈ３が印加される。前記抵抗Ｒ１４、Ｒ１５、Ｒ１６は直列に接続され、抵抗Ｒ１４側の端部は電源電位Ｖｃｃ２に接続され、抵抗Ｒ１６側の端部は低電位側の基準電位に接続される。なお、抵抗Ｒ１５及びＲ１６間の電圧である基準電圧Ｖｔｈ２は、前記基準電圧Ｖｔｈ１よりも低い値に設定される。また、抵抗Ｒ１４及びＲ１５間の電圧である基準電圧Ｖｔｈ３は、前記基準電圧Ｖｔｈ１よりも高い値に設定される。つまり、負パルス検出用コンパレータ２１は、セット用電圧信号Ｓ１０４が基準電圧Ｖｔｈ２よりも小さいときにＨＩＧＨレベルとなるパルス信号を出力する。一方、正パルス検出用コンパレータ２２は、セット用電圧信号Ｓ１０４が基準電圧Ｖ３よりも大きいときにＨＩＧＨレベルとなるパルス信号を出力する。
【００６０】
そして、負パルス検出用コンパレータ２１及び正パルス検出用コンパレータ２２の出力端子は、時間間隔計測ユニット２５に接続される。
時間間隔計測ユニット２５は、負パルス検出用コンパレータ２１の出力Ｓ１０６が立ち上がった時点から正パルス検出用コンパレータ２２の出力Ｓ１０７が立ち上がった時点までのパルス時間間隔を計測する。そして、計測したパルス時間間隔が、予め設定した許容時間範囲内の値をとるときには、セット用電圧信号Ｓ１０４に生じた振幅パルスは、ノイズではなく信号変換部１側から伝送された正規の振幅パルスであると判断し、パルス信号からなるセット信号Ｓ１１０を出力する。一方、計測したパルス時間間隔が、前記許容時間範囲内の値をとらないときには、セット用電圧信号Ｓ１０４に生じた振幅パルスは、ノイズであると判断し、セット信号Ｓ１１０を出力しない。
【００６１】
時間間隔計測ユニット２５は、具体的には、図示しない定電流を積分する積分回路で構成され、負パルス検出用コンパレータ２１の出力Ｓ１０６が立ち上がった時点で積分回路における定電流の積分を開始し、正パルス検出用コンパレータ２２の出力Ｓ１０７が立ち上がった時点で積分回路における定電流の積分を停止する。負パルス検出用コンパレータ２１の出力Ｓ１０６が立ち上がったことに伴い積分回路での積分が開始された後、正パルス検出用コンパレータ２２の出力Ｓ１０７が立ち上がらない場合であっても、積分回路の積分電圧が予め設定した上限値に達したときには積分を停止する。
【００６２】
そして、正パルス検出用コンパレータ２２の出力Ｓ１０７が立ち上がった時点における積分電圧が、予め設定した許容電圧範囲（Ｖｔｈ４以上Ｖｔｈ５以下）の値をとるとき、セット用電圧信号Ｓ１０４に生じた正又は負の振幅パルスは正規の振幅パルスであると判断し、セット信号Ｓ１１０を出力する。積分電圧が許容電圧範囲外の値をとるときには、セット用電圧信号Ｓ１０４に生じた正又は負の振幅パルスは正規の振幅パルスではないと判断し、セット信号Ｓ１１０を出力しない。
【００６３】
前記許容電圧範囲は、抵抗Ｒ１１及びコンデンサＣ１１からなる積分回路で入力信号Ｓ１００を規定時間だけ遅延させて入力信号Ｓ１００の遅延信号を生成する際の前記規定時間、および前記規定時間とパルス時間間隔の差に関する許容時間に応じて設定される。すなわち“規定時間±許容時間”の許容時間範囲相当の電圧となるように、許容電圧範囲、すなわち上記Ｖｔｈ４とＶｔｈ５の値が設定される。これにより、パルス時間間隔と規定時間との差が許容時間内であるときには、セット用電圧信号Ｓ１０４に生じた振幅パルスは正規の振幅パルスであると判断し、パルス時間間隔と規定時間との差が許容時間内ではないときには、セット用電圧信号Ｓ１０４に生じた振幅パルスは正規の振幅パルスではなく、ノイズ等によるものと判断する。
【００６４】
前記許容時間は、例えば、ノイズがのらない状態において、負パルス検出用コンパレータ２１の出力Ｓ１０６が立ち上がったタイミングと正パルス検出用コンパレータ２２の出力Ｓ１０７が立ち上がったタイミングとの時間間隔と、前記入力信号Ｓ１００を遅延させる際の規定時間との差のばらつき等に基づき設定される。つまり、許容電圧範囲は、ノイズがのらない状態において、パルス時間間隔がとり得る最大値及び最小値の範囲相当に設定され、すなわち、パルス時間間隔から、セット用電圧信号Ｓ１０４に生じた振幅パルスが、ノイズではなく正規の振幅パルスであるとみなすことの可能な値に設定される。
【００６５】
一方、リセット用絶縁トランスＴＬ１２の２次巻線Ｍ１４の一端は、負パルス検出用コンパレータ２３の反転入力端子に接続されると共に正パルス検出用コンパレータ２４の非反転入力端子に接続される。
また、負パルス検出用コンパレータ２３の非反転入力端子は、コンデンサＣ１３を介して低電位側の基準電位に接続されると共に、直列に接続された抵抗Ｒ１５及びＲ１６の接続点に接続され、当該接続点の電位である基準電圧Ｖｔｈ２が印加される。正パルス検出用コンパレータ２４の反転入力端子は、コンデンサＣ１４を介して低電位側の基準電位に接続されると共に、直列に接続された抵抗Ｒ１４及びＲ１５の接続点に接続され、当該接続点の電位である基準電圧Ｖｔｈ３が印加される。
【００６６】
そして、負パルス検出用コンパレータ２３及び正パルス検出用コンパレータ２４の出力端子は、時間間隔計測ユニット２６に接続される。
時間間隔計測ユニット２６は、負パルス検出用コンパレータ２３の出力Ｓ１０８が立ち上がった時点から正パルス検出用コンパレータ２４の出力Ｓ１０９が立ち上がった時点までのパルス時間間隔を計測する。そして、計測したパルス時間間隔が、予め設定した許容時間範囲内の値をとるときには、リセット用電圧信号Ｓ１０５に生じた振幅パルスは、ノイズではなく信号変換部１側から伝送された正規の振幅パルスであると判断し、パルス信号からなるリセット信号Ｓ１１１を出力する。一方、計測したパルス時間間隔が、前記許容時間範囲内の値をとらないときには、リセット用電圧信号Ｓ１０５に生じた振幅パルスは、ノイズであると判断し、リセット信号Ｓ１１１を出力しない。
【００６７】
時間間隔計測ユニット２６は、具体的には、図示しない定電流を積分する積分回路で構成され、負パルス検出用コンパレータ２３の出力Ｓ１０８が立ち上がった時点で積分回路における定電流の積分を開始し、正パルス検出用コンパレータ２４の出力Ｓ１０９が立ち上がった時点で積分回路における定電流の積分を停止する。負パルス検出用コンパレータ２３の出力Ｓ１０８が立ち上がったことに伴い積分回路での積分が開始された後、正パルス検出用コンパレータ２４の出力Ｓ１０９が立ち上がらない場合であっても、積分回路の積分電圧が予め設定した上限値に達したときには積分を停止する。
【００６８】
そして、正パルス検出用コンパレータ２４の出力Ｓ１０９が立ち上がった時点における積分電圧が、予め設定した許容電圧範囲（Ｖｔｈ４以上Ｖｔｈ５以下）の値をとるとき、リセット用電圧信号Ｓ１０５に生じた正又は負の振幅パルスは正規の振幅パルスであると判断し、リセット信号Ｓ１１１を出力する。積分電圧が許容電圧範囲外の値をとるときには、リセット用電圧信号Ｓ１０５に生じた正又は負の振幅パルスは正規の振幅パルスではないと判断し、リセット信号Ｓ１１１を出力しない。
【００６９】
前記許容電圧範囲は、抵抗Ｒ１１及びコンデンサＣ１１からなる積分回路で入力信号Ｓ１００を規定時間だけ遅延させて入力信号Ｓ１００の遅延信号を生成する際の前記規定時間、および前記規定時間とパルス時間間隔の差に関する許容時間とに応じて設定される。すなわち“規定時間±許容時間”の許容時間範囲相当の電圧となるように、許容電圧範囲、すなわち上記Ｖｔｈ４とＶｔｈ５の値が設定される。これにより、パルス時間間隔と規定時間との差が許容時間内であるときには、リセット用電圧信号Ｓ１０５に生じた振幅パルスは正規の振幅パルスであると判断し、パルス時間間隔と規定時間との差が許容時間内ではないときには、リセット用電圧信号Ｓ１０５に生じた振幅パルスは正規の振幅パルスではなく、ノイズ等によるものと判断する。
【００７０】
前記許容時間は、例えば、ノイズがのらない状態において、負パルス検出用コンパレータ２３の出力Ｓ１０８が立ち上がったタイミングと正パルス検出用コンパレータ２４の出力Ｓ１０９が立ち上がったタイミングとの時間間隔と、前記入力信号Ｓ１００を遅延させる際の規定時間との差のばらつき等に基づき設定される。つまり、許容電圧範囲は、ノイズがのらない状態において、パルス時間間隔がとり得る最大値及び最小値の範囲相当に設定され、すなわち、パルス時間間隔から、リセット用電圧信号Ｓ１０５に生じた振幅パルスが、ノイズではなく正規の振幅パルスであるとみなすことの可能な値に設定される。
【００７１】
そして、時間間隔計測ユニット２５の出力端子は、フリップフロップ２７のクロック端子ＣＬＫに接続され、前記時間間隔計測ユニット２６の出力端子は、フリップフロップ２７のリセット端子ＣＬＲに接続される。また、フリップフロップ２７の入力端子Ｄは抵抗Ｒ１７を介して電源電位Ｖｃｃ２に接続される。そして、フリップフロップ２７の非反転出力端子Ｑが信号復元部２の出力端に接続され、この非反転出力端子Ｑの出力が、信号復元部２で復元された復元信号Ｓ１１２として出力される。
【００７２】
そして、入力信号Ｓ１００（図２（ａ））が信号変換部１に入力されると、この入力信号Ｓ１００は、抵抗Ｒ１１及びコンデンサＣ１１からなる遅延回路にて遅延させられ、バッファ１２で波形成型された後、入力信号Ｓ１００を遅延させ波形成型した信号と入力信号Ｓ１００とが排他的論理和回路１３に入力される。そして、排他的論理和回路１３にてこれら信号の排他的論理和がとられ、排他的論理和回路１３の出力信号Ｓ１０１と入力信号Ｓ１００との論理積が論理積回路１５Ａでとられることにより、入力信号Ｓ１００の論理値“０”から論理値“１”への立ち上がりエッジに同期したエッジ信号Ｓ１０２（図２（ｂ））が抽出される。
【００７３】
同様に、排他的論理和回路１３の出力信号Ｓ１０１と入力信号Ｓ１００の反転信号との論理積が論理積回路１５Ｂでとられることにより、入力信号Ｓ１００の論理値“１”から論理値“０”への立ち下がりエッジに同期したエッジ信号Ｓ１０３が抽出される（図２（ｃ））。
前述のように、抵抗Ｒ１１とコンデンサＣ１１とで入力信号Ｓ１００を予め設定した規定時間だけ遅延させる積分回路を構成していて、エッジ信号Ｓ１０２およびＳ１０３の時間幅は、当該遅延回路による遅延時間に等しい。すなわち、エッジ信号Ｓ１０２およびＳ１０３は、時間幅が上記規定時間で規定された方形波の信号となる。また、上記規定時間は、インテリジェントモジュール（ＩＰＭ）に発生するノイズの時間幅とは異なるよう設定される。
【００７４】
エッジ信号Ｓ１０２は、セット用絶縁トランスＴＬ１１側の、Ｐチャネル電界効果型トランジスタＴｒ１１及びＮチャネル電界効果型トランジスタＴｒ１２のゲート端子にそれぞれ入力されるため、セット用絶縁トランスＴＬ１１の１次巻線Ｍ１１を励磁するためのセット用絶縁トランス励磁パルスとして動作することになる。
このため、時刻ｔ１１において、入力信号Ｓ１００の立ち上がりエッジに同期してエッジ信号Ｓ１０２が立ち上がると（図２（ｂ））、Ｐチャネル電界効果型トランジスタＴｒ１１は非導通状態、Ｎチャネル電界効果型トランジスタＴｒ１２は導通状態となる。これにより、電源電位Ｖｃｃ１、１次巻線Ｍ１１、Ｎチャネル電界効果型トランジスタＴｒ１２、接地という経路で励磁電流が流れ（図２（ｆ））、これに伴いＮチャネル電界効果型トランジスタＴｒ１２のドレイン電流も増加し（図２（ｄ））、１次巻線Ｍ１１の励磁電流及びＮチャネル電界効果型トランジスタＴｒ１２のドレイン電流は、１次巻線Ｍ１１の直流抵抗値と電源電位Ｖｃｃ１とにより定まる電流値（Ｖｃｃ１／抵抗値）相当の一定電流に保持される。
【００７５】
ここで、１次巻線Ｍ１１のインダクタンスをＬ１１とすると、１次巻線Ｍ１１の励磁電流の増加率は、Ｖｃｃ１（電源電位）／Ｌ１１となる。電源電位Ｖｃｃ１及び１次巻線Ｍ１１のインダクタンスＬ１１は、１次巻線Ｍ１１に流れる励磁電流を急速に増加し得る値であって、この励磁電流の増加に伴い、２次巻線Ｍ１２から得られる電圧信号に負のパルスを発生させることが可能な値に設定される。１次巻線Ｍ１１のインダクタンスＬ１１は比較的小さいため、Ｎチャネル電界効果型トランジスタＴｒ１２を導通させると、１次巻線Ｍ１１に流れる励磁電流は急速に増大し、１次巻線Ｍ１１の直流抵抗により定まる“Ｖｃｃ１／直流抵抗値”相当の一定電流で飽和することになる（図２（ｆ））。
【００７６】
そして、時刻ｔ１２で、エッジ信号Ｓ１０２が立ち下がると、Ｐチャネル電界効果型トランジスタＴｒ１１は導通状態、Ｎチャネル電界効果型トランジスタＴｒ１２は非導通状態となるため、電源電位Ｖｃｃ１、１次巻線Ｍ１１、Ｐチャネル電界効果型トランジスタＴｒ１１、電源電位Ｖｃｃ１の経路で電流が流れ、１次巻線Ｍ１１に蓄積されていたエネルギーが、１次巻線Ｍ１１の直流抵抗とＰチャネル電界効果型トランジスタＴｒ１１のオン抵抗とで消費され、励磁電流が急速に減少する（図２（ｆ））。
【００７７】
ここで、この回路の時定数は、Ｌ１１／総抵抗値となる。なお、Ｌ１１は、１次巻線Ｍ１１のインダクタンス、総抵抗値は、１次巻線Ｍ１１の直流抵抗とＰチャネル電界効果型トランジスタＴｒ１１のオン抵抗との和である。
前記１次巻線Ｍ１１、１次巻線Ｍ１１の直流抵抗及びＰチャネル電界効果型トランジスタＴｒ１１のオン抵抗は、１次巻線Ｍ１１に流れる励磁電流を急速に減少し得る値であって、この励磁電流の減少に伴い、２次巻線Ｍ１２から得られる電圧信号に正のパルスを発生させることが可能な値に設定される。１次巻線Ｍ１１のインダクタンスＬ１１は比較的小さいため、回路の時定数も小さくなり、Ｐチャネル電界効果型トランジスタＴｒ１１を導通させると励磁電流は速やかに減衰し、これに伴って、Ｐチャネル電界効果型トランジスタＴｒ１１のドレイン電流は、急速に増加した後、１次巻線Ｍ１１に蓄積されていたエネルギーの消費に伴い急速に減少する（図２（ｅ））。
【００７８】
また、Ｎチャネル電界効果型トランジスタＴｒ１２のドレイン電流は、Ｎチャネル電界効果型トランジスタＴｒ１２を非導通とさせることにより減少する（図２（ｄ））。
このような構成とすることにより、図２（ｆ）に示すように、セット用絶縁トランスＴＬ１１の１次巻線Ｍ１１を励磁するためのパルス信号となるエッジ信号Ｓ１０２が、時刻ｔ１１でＬＯＷレベルからＨＩＧＨレベルに立ち上がるときに、大きな“＋ｄｉ／ｄｔ”を発生すると共に、時刻ｔ１２でＨＩＧＨレベルからＬＯＷレベルに切り替わるときに、大きな“−ｄｉ／ｄｔ”となる励磁電流を１次巻線Ｍ１１に発生させることが可能となる。
【００７９】
このように、セット用絶縁トランスＴＬ１１の１次巻線Ｍ１１に大きな“＋ｄｉ／ｄｔ”、“−ｄｉ／ｄｔ”が発生することにより、２次巻線Ｍ１２には、Ｍ２１＊ｄｉ／ｄｔ（Ｍ２１は１次巻線及び２次巻線の相互インダクタンス）なる電圧が発生され、これにより“＋ｄｉ／ｄｔ”が発生したときには負値、“−ｄｉ／ｄｔ”が発生したときには正値となる振幅のパルスがセット用電圧信号Ｓ１０４に発生することになる。
【００８０】
コンパレータ２１の反転入力端子には、セット用電圧信号Ｓ１０４が入力され、非反転入力端子には基準電圧Ｖｔｈ１よりも低い基準電圧Ｖｔｈ２が入力されるため、コンパレータ２１の出力Ｓ１０６は、セット用電圧信号Ｓ１０４が基準電圧Ｖｔｈ２を下回る間、ＨＩＧＨレベルとなる（図２（ｈ））。また、コンパレータ２２の反転入力端子には、基準電圧Ｖｔｈ１よりも高い基準電圧Ｖｔｈ３が入力され、非反転入力端子にはセット用電圧信号Ｓ１０４が入力されることから、コンパレータ２２の出力Ｓ１０７は、セット用電圧信号Ｓ１０４が基準電圧Ｖｔｈ３を上回る間、ＨＩＧＨレベルとなる（図２（ｉ））。つまり、コンパレータ２１の出力Ｓ１０６に、入力信号Ｓ１００の立ち上がりエッジ（つまりエッジ信号Ｓ１０２の立ち上がりエッジ）に同期した振幅パルスが発生し、コンパレータ２２の出力Ｓ１０７に、入力信号Ｓ１００の遅延信号の立ち上がりエッジ（つまりエッジ信号Ｓ１０２の立ち下がりエッジ）に同期した振幅パルスが発生することになる。
【００８１】
時間間隔計測ユニット２５では、コンパレータ２１の出力Ｓ１０６の立ち上がりで、前述の積分回路での積分を開始してこれに基づき時間計測を開始し、コンパレータ２２の出力Ｓ１０７の立ち上がりで積分回路での積分を終了する。積分回路では、定電流を積分しているため積分電圧は、時間の経過に比例して増加する（図２（ｊ））。
積分終了時の積分電圧が、予め設定した許容時間相当の許容電圧範囲（Ｖｔｈ４以上Ｖｔｈ５以下）にあるとき、セット用電圧信号Ｓ１０４に生じた振幅パルスは、信号変換部１から伝送された入力信号Ｓ１００に応じた正規のパルスであると判断し、セット信号Ｓ１１０が出力される（図２（ｋ））。
【００８２】
そして、フリップフロップ２７では、時刻ｔ１３でセット信号Ｓ１１０が立ち上がると、この変化がフリップフロップ２７のクロック端子ＣＬＫに伝えられることで、フリップフロップ２７が入力端子Ｄに与えられている入力信号のレベル（電源電位Ｖｃｃ２）を読み取ってその出力信号Ｓ１１２がＬＯＷレベルからＨＩＧＨレベルに変化する（図２（ｔ））。
【００８３】
なお、時刻ｔ１１から時刻ｔ１３では、エッジ信号Ｓ１０３は、ＬＯＷレベルのままであるので、この間、リセット用絶縁トランスＴＬ１２は動作しない。
そして、時刻ｔ１４において、入力信号Ｓ１００の立ち下がりエッジに同期してエッジ信号Ｓ１０３が立ち上がると（図２（ｃ））、エッジ信号Ｓ１０３は、リセット用絶縁トランスＴＬ１２側の、Ｐチャネル電界効果型トランジスタＴｒ１３及びＮチャネル電界効果型トランジスタＴｒ１４のゲート端子にそれぞれ入力されるため、リセット用絶縁トランスＴＬ１２の１次巻線Ｍ１３を励磁するためのリセット用絶縁トランス励磁パルスとして動作することになる。
【００８４】
このため、リセット用絶縁トランスＴＬ１２側のＰチャネル電界効果型トランジスタＴｒ１３は非導通状態、Ｎチャネル電界効果型トランジスタＴｒ１４は導通状態となるため、電源電位Ｖｃｃ１、１次巻線Ｍ１３、Ｎチャネル電界効果型トランジスタＴｒ１４、接地という経路で急速に励磁電流が流れ（図２（ｎ））、これに伴いＮチャネル電界効果型トランジスタＴｒ１４のドレイン電流も増加し（図２（ｌ））、１次巻線Ｍ１３の励磁電流及びＮチャネル電界効果型トランジスタＴｒ１４のドレイン電流は、１次巻線Ｍ１３の直流抵抗値と電源電位Ｖｃｃ１とにより定まる電流値（Ｖｃｃ１／抵抗値）相当の一定電流に保持される。
【００８５】
ここで、１次巻線Ｍ１３のインダクタンスをＬ１３とすると、１次巻線Ｍ１３の励磁電流の増加率は、Ｖｃｃ１／Ｌ１３となる。電源電位Ｖｃｃ１及び１次巻線Ｍ１３のインダクタンスＬ１３は、１次巻線Ｍ１３に流れる励磁電流を急速に減少し得る値であって、この励磁電流の減少に伴い、２次巻線Ｍ１４から得られる電圧信号に正の振幅パルスを発生させることが可能な値に設定されている。１次巻線Ｍ１３のインダクタンスＬ１３は比較的小さいため、Ｎチャネル電界効果型トランジスタＴｒ１４を導通させると、Ｎチャネル電界効果型トランジスタＴｒ１４のドレイン電流は急速に増大し、１次巻線Ｍ１１の直流抵抗により定まる“Ｖｃｃ１／直流抵抗値”相当の一定電流で飽和することになる。
【００８６】
そして、時刻ｔ１５で、エッジ信号Ｓ１０３が立ち下がると、Ｐチャネル電界効果型トランジスタＴｒ１３は導通状態、Ｎチャネル電界効果型トランジスタＴｒ１４は非導通状態となるため、電源電位Ｖｃｃ１、１次巻線Ｍ１３、Ｐチャネル電界効果型トランジスタＴｒ１３、電源電位Ｖｃｃ１の経路で電流が流れ、１次巻線Ｍ１３に蓄積されていたエネルギーが、１次巻線Ｍ１３の直流抵抗とＰチャネル電界効果型トランジスタＴｒ１３のオン抵抗とで消費され、励磁電流が急速に減少する（図２（ｎ））。
【００８７】
ここで、この回路の時定数は、Ｌ１３／総抵抗値となる。なお、Ｌ１３は１次巻線Ｍ１３のインダクタンス、総抵抗値は、１次巻線Ｍ１３の直流抵抗とＰチャネル電界効果型トランジスタＴｒ１３のオン抵抗との和である。
前記１次巻線Ｍ１３、１次巻線Ｍ１３の直流抵抗及びＰチャネル電界効果型トランジスタＴｒ１３のオン抵抗は、１次巻線Ｍ１３に流れる励磁電流を急速に減少し得る値であって、この励磁電流の減少に伴い、２次巻線Ｍ１４から得られる電圧信号に正のパルスを発生させることが可能な値に設定されている。１次巻線Ｍ１３のインダクタンスＬ１３は比較的小さいため、回路の時定数も小さくなり、Ｐチャネル電界効果型トランジスタＴｒ１３を導通させると励磁電流は速やかに減衰し、これに伴って、Ｐチャネル電界効果型トランジスタＴｒ１３のドレイン電流は、急速に増加した後、１次巻線Ｍ１３に蓄積されていたエネルギーの消費に伴い急速に減少する（図２（ｍ））。
【００８８】
また、Ｎチャネル電界効果型トランジスタＴｒ１４のドレイン電流は、Ｎチャネル電界効果型トランジスタＴｒ１４を非導通とさせることにより減少する（図２（ｌ））。
このような構成とすることにより、図２（ｎ）に示すように、リセット用絶縁トランスＴＬ１２の１次巻線Ｍ１３を励磁するための励磁パルスとなるエッジ信号Ｓ１０３が、時刻ｔ１４でＬＯＷレベルからＨＩＧＨレベルに立ち上がるときに、大きな“＋ｄｉ／ｄｔ”を発生すると共に、時刻ｔ１５でＨＩＧＨレベルからＬＯＷレベルに切り替わるときに、大きな“−ｄｉ／ｄｔ”となる励磁電流を発生させることが可能となる。
【００８９】
このように、リセット用絶縁トランスＴＬ１２の１次巻線Ｍ１３に大きな“＋ｄｉ／ｄｔ”、“−ｄｉ／ｄｔ”が発生することにより、２次巻線Ｍ１４には、Ｍ２１′＊ｄｉ／ｄｔ（Ｍ２１′は１次巻線及び２次巻線の相互インダクタンス）なる電圧が発生され、これにより“＋ｄｉ／ｄｔ”が発生したときには負値、“−ｄｉ／ｄｔ”が発生したときには正値となる振幅のパルスがリセット用電圧信号Ｓ１０５に発生することになる。
【００９０】
コンパレータ２３の反転入力端子にはリセット用電圧信号Ｓ１０５が入力され、非反転入力端子には、基準電圧Ｖｔｈ１よりも低い基準電圧Ｖｔｈ２が入力されるため、コンパレータ２３の出力Ｓ１０８は、リセット用電圧信号Ｓ１０５が基準電圧Ｖｔｈ２を下回る間、ＨＩＧＨレベルとなる（図２（ｐ））。また、コンパレータ２４の反転入力端子には、基準電圧Ｖｔｈ１よりも高い基準電圧Ｖｔｈ３が入力され、非反転入力端子にはリセット用電圧信号Ｓ１０５が入力されることから、コンパレータ２４の出力Ｓ１０９は、リセット用電圧信号Ｓ１０５が基準電圧Ｖｔｈ３を上回る間、ＨＩＧＨレベルとなる（図２（ｑ））。つまり、コンパレータ２３からは入力信号Ｓ１００の立ち下がりエッジに同期したパルス信号が出力され、コンパレータ２４からは入力信号Ｓ１００の遅延信号の立ち下がりエッジに同期したパルス信号が出力されることになる。
【００９１】
時間間隔計測ユニット２６では、コンパレータ２３の出力Ｓ１０８の立ち上がりで、前述の積分回路での積分を開始してこれに基づき時間計測を開始し、コンパレータ２４の出力Ｓ１０９の立ち上がりで積分回路での積分を終了する。積分回路では、定電流を積分しているため積分電圧は、時間の経過に比例して増加する（図２（ｒ））。
積分終了時の積分電圧が、予め設定した許容時間相当の許容電圧範囲（Ｖｔｈ４以上Ｖｔｈ５以下）にあるとき、リセット用電圧信号Ｓ１０５に生じた振幅パルスは正規の振幅パルスであるとして、リセット信号Ｓ１１１が出力される（図２（ｓ））。
【００９２】
そして、フリップフロップ２７では、時刻ｔ１６でリセット信号Ｓ１１１が立ち上がると、この変化がフリップフロップ２７のリセット端子ＣＬＲに伝えられることから、フリップフロップ２７がリセットされてその出力信号Ｓ１１２がＨＩＧＨレベルからＬＯＷレベルに変化する（図２（ｔ））。
なお、時刻ｔ１４からｔ１６では、セット用電圧信号Ｓ１０４は、ＬＯＷレベルのままであるため、セット用絶縁トランスＴＬ１１側は動作しない。
以上の動作により、図２（ａ）に示す入力信号Ｓ１００が、セット用絶縁トランスＴＬ１１、リセット用絶縁トランスＴＬ１２を介して伝達され、図２（ｔ）に示すように、フリップフロップ２７の出力信号Ｓ１１２として復元されることになる。
【００９３】
ここで、図１０に示すように実装された昇降圧コンバータ用インテリジェントモジュールにおいて、ワイヤボンディング線を流れる主回路電流により生成される磁界による影響を受け、磁界変化に起因するノイズがセット用絶縁トランスＴＬ１１のセット用電圧信号Ｓ１０４に混入し、実際には、入力信号Ｓ１００が立ち上がっていないにも関わらず、セット用電圧信号Ｓ１０４に負の振幅パルス及び正の振幅パルスがこの順に生じた場合、コンパレータ２１の出力Ｓ１０６は、セット用電圧信号Ｓ１０４が基準電圧Ｖｔｈ２を下回る間ＨＩＧＨレベルとなるパルス信号となり、コンパレータ２２の出力Ｓ１０７は、セット用電圧信号Ｓ１０４が基準電圧Ｖｔｈ３を上回る間ＨＩＧＨレベルとなるパルス信号を出力する。
【００９４】
このため、時間間隔計測ユニット２５では、コンパレータ２１の出力Ｓ１０６が立ち上がった時点で積分回路での積分を開始し、コンパレータ２２の出力Ｓ１０７が立ち上がった時点で積分回路での積分を終了する。
ここで、時間間隔計測ユニット２５では、パルス時間間隔の許容範囲として、ノイズがのらない状態において、パルス時間間隔がとり得る最大値及び最小値の範囲相当に設定されている。
【００９５】
このため、コンパレータ２１の出力Ｓ１０６及びコンパレータ２２の出力Ｓ１０７に生じたパルスが、セット用電圧信号Ｓ１０４にノイズに起因した振幅パルスが発生したため生じたものであると、コンパレータ２１及び２２の出力Ｓ１０６及びＳ１０７に生じたパルスのパルス時間間隔が、入力信号Ｓ１００の遅延信号を生成する際の規定時間よりも長い状態、或いは短い状態となり、時間間隔計測ユニット２５における積分電圧が、許容電圧範囲内に収まらないことから、セット用電圧信号Ｓ１０４に生じた振幅パルスは、正規の振幅パルスであると判断されない。このため、時間間隔計測ユニット２５ではセット信号Ｓ１１０を出力しない。したがって、ノイズに起因して誤った振幅パルスが発生したセット用電圧信号Ｓ１０４に基づいて、入力信号Ｓ１００の復元が行なわれることを回避することができる。
【００９６】
また、セット用電圧信号Ｓ１０４に、ノイズにより正の振幅パルスが生じた後に負の振幅パルスが発生した場合には、コンパレータ２２の出力Ｓ１０７が立ち上がった後、コンパレータ２１の出力Ｓ１０６が立ち上がることになり、コンパレータ２１の出力Ｓ１０６が立ち上がった時点で積分回路が起動し積分が開始される。しかしながら、その後コンパレータ２２の出力Ｓ１０７が立ち上がらないため、積分回路の積分値が上限値に達した時点で時間間隔計測ユニット２５では積分を停止し、積分値が許容電圧範囲外となるため、正規のパルスではないとしてセット信号Ｓ１１０を出力しない。
【００９７】
また、セット用電圧信号Ｓ１０４に、ノイズにより正の振幅パルスのみが生じた場合には、まず、コンパレータ２２の出力Ｓ１０７が立ち上がるが、このとき積分回路が作動していなければ、積分値は零のままとなるため、セット信号Ｓ１１０は出力されない。
このように、コンパレータ２１の出力Ｓ１０６及びコンパレータ２２の出力Ｓ１０７に生じたパルスのパルス時間間隔を計測することにより、セット用電圧信号Ｓ１０４にノイズが混入したことに起因して、入力信号Ｓ１００が立ち上がったとして誤判断されることを低減することができる。
【００９８】
同様に、ワイヤボンディング線を流れる主回路電流により生成される磁界による影響を受け、磁界変化に起因するノイズがリセット用絶縁トランスＴＬ１２のリセット用電圧信号Ｓ１０５に混入し、実際には、入力信号Ｓ１００が立ち下がっていないにも関わらず負の振幅パルス及び正の振幅パルスがこの順に生じた場合、コンパレータ２３の出力Ｓ１０８は、リセット用電圧信号Ｓ１０５が基準電圧Ｖｔｈ２を下回る間ＨＩＧＨレベルとなり、コンパレータ２４の出力Ｓ１０９は、リセット用電圧信号Ｓ１０５が基準電圧Ｖｔｈ３を上回る間ＨＩＧＨレベルとなる。
【００９９】
このため、時間間隔計測ユニット２６では、コンパレータ２３の出力Ｓ１０８が立ち上がった時点で積分回路での積分を開始し、コンパレータ２４の出力Ｓ１０９が立ち上がった時点で積分回路での積分を終了する。
ここで、時間間隔計測ユニット２６では、パルス時間間隔の許容範囲として、ノイズがのらない状態において、パルス時間間隔がとり得る最大値及び最小値の範囲相当に設定される。
【０１００】
このため、コンパレータ２３の出力Ｓ１０８及びコンパレータ２４の出力Ｓ１０９に生じたパルスが、リセット用電圧信号Ｓ１０５にノイズに起因した振幅パルスが発生したため生じたものであると、コンパレータ２３及び２４の出力Ｓ１０８及びＳ１０９に生じたパルスのパルス時間間隔が、入力信号Ｓ１００の遅延信号を生成する際の規定時間よりも長い状態、或いは短い状態となり、時間間隔計測ユニット２６における積分電圧が、許容電圧範囲内に収まらないことから、リセット用電圧信号Ｓ１０５に生じた振幅パルスは、正規の振幅パルスであると判断されない。このため、時間間隔計測ユニット２６ではリセット信号Ｓ１１１を出力しない。したがって、ノイズに起因して誤った振幅パルスが発生したリセット用電圧信号Ｓ１０５に基づいて、入力信号Ｓ１００の復元が行なわれることを回避することができる。
【０１０１】
このように、コンパレータ２１、２２の出力Ｓ１０６、Ｓ１０７の立ち上がりのパルス時間間隔が、規定時間相当であるかどうか、同様に、コンパレータ２３、２４の出力Ｓ１０８、Ｓ１０９の立ち上がりのパルス時間間隔が、規定時間相当であるかどうかを判断することにより、セット用電圧信号Ｓ１０４或いはＳ１０５に生じた振幅パルスが信号変換部１側から伝送された正規の振幅パルスであるか否かを判断し、パルス時間間隔が規定時間相当でないときには、ノイズにより生じた振幅パルスであると判断し、パルス時間間隔が規定時間相当であるときにのみ、セット用電圧信号Ｓ１０４或いはリセット用電圧信号Ｓ１０５に生じた振幅パルスは、ノイズではなく正規の振幅パルスであると判断するようにしたため、ノイズによる振幅パルスであるのか、正規の振幅パルスであるのかを的確に判別することができる。
【０１０２】
そして、このように、セット用絶縁トランスＴＬ１１からのセット用電圧信号Ｓ１０４及びリセット用絶縁トランスＴＬ１２からのリセット用電圧信号Ｓ１０５にノイズが生じた場合であっても正規の振幅パルスであるか否かを的確に判別することができるため、フリップフロップ２７では、入力信号Ｓ１００の立ち上がり、及び入力信号Ｓ１００の立ち下がりに同期した信号を的確に復元することができ、信頼性の高い復元信号Ｓ１１２を得ることができる。
【０１０３】
したがって、昇降圧インバータ用インテリジェントパワーモジュールを、図１０に示すように、主端子７７、７８とＩＧＢＴチップ７３ａおよびＦＷＤチップ７３ｂを接続するボンディングワイヤ７４ａ〜７４ｃと、ＩＧＢＴのゲート駆動および監視を行う回路基板７５とが接近した配置とした場合であっても、ボンディングワイヤ７４ａ〜７４ｃを流れる主回路電流で生成される磁界によるノイズの影響を低減することができ、より信頼性の高い昇降圧インバータ用インテリジェントパワーモジュールを実現することができる。
【０１０４】
特に、入力信号Ｓ１００の復元に用いる２次巻線側の出力信号Ｓ１０４及びＳ１０５に重畳された振幅パルスをノイズによるものであるか正規のものであるかを的確に判別することができるため、効果的である。
また、セット用絶縁トランスＴＬ１１の２次巻線Ｍ１２の電圧信号に、入力信号Ｓ１００の立ち上がりに同期した振幅パルスとこれよりも規定時間だけ遅延した振幅パルスとを発生させる方法として、エッジ信号Ｓ１０２の立ち上がりエッジと立ち下がりエッジとを利用したため、２次巻線Ｍ１２側に入力信号Ｓ１００よりも規定時間だけ遅延した振幅パルスを発生させるために、新たな制御信号を生成することなく、実現することができる。
【０１０５】
さらに、エッジ信号Ｓ１０２を、入力信号Ｓ１００と、この入力信号Ｓ１００を規定時間だけ遅延させた信号とから生成しており、エッジ信号Ｓ１０２のパルス幅は常に規定時間相当の一定幅であるため、このエッジ信号Ｓ１０２の立ち上がりエッジ及び立ち下がりエッジに同期したパルス信号を２次巻線Ｍ１２側に発生させることにより、２次巻線Ｍ１２側に、入力信号Ｓ１００に同期した振幅パルスと、これよりも規定時間だけ遅延した振幅パルスとを容易に発生させることができる。
【０１０６】
同様に、リセット用絶縁トランスＴＬ１２側の場合も、２次巻線Ｍ１４の電圧信号に、入力信号Ｓ１００の立ち下がりに同期した振幅パルスと、これよりも規定時間だけ遅延した振幅パルスとを発生させる方法として、エッジ信号Ｓ１０３の立ち上がりエッジと立ち下がりエッジとを利用したため、２次巻線Ｍ１４側に入力信号Ｓ１００よりも規定時間だけ遅延した振幅パルスを発生させるための新たな制御信号を生成することなく実現することができる。
【０１０７】
また、入力信号Ｓ１００と、この入力信号Ｓ１００を規定時間だけ遅延させた信号とから生成したエッジ信号Ｓ１０３を用いて、このエッジ信号Ｓ１０３の立ち上がりエッジ及び立ち下がりエッジに同期した振幅パルスを２次巻線Ｍ１４側に発生させているため、２次巻線Ｍ１４側に、入力信号Ｓ１００に同期した振幅パルスと、これよりも規定時間だけ遅延した振幅パルスとを容易に発生させることができる。
【０１０８】
なお、上記実施の形態においては、本発明による信号伝送回路ＴＵを、車両機器用の電力変換装置に適用した場合について説明したが、これに限るものではなく、絶縁トランスを用いて信号伝送を行なうようにした電力変換装置であれば適用することができる。
また、空芯型のトランスに適用した場合について説明したが、鉄心を有するトランスであっても適用することができる。
【０１０９】
また、上記実施の形態においては、２次巻線Ｍ１２側に入力信号Ｓ１００の立ち上がりエッジに同期した振幅パルス及びこれよりも規定時間だけ遅延した振幅パルスを発生させる際に、エッジ信号Ｓ１０２の立ち上がりエッジ及び立ち下がりエッジを用い、１つの制御信号から２つの振幅パルスを発生させる構成としているが、これに限るものではない。
例えば、入力信号Ｓ１００の立ち上がりエッジに同期した第１のパルスと、入力信号Ｓ１００の立ち上がりエッジよりも規定時間だけ遅延した第２のパルスとを生成し、これらのパルスを１次巻線Ｍ１１側に入力し、２次巻線Ｍ１２側に発生した、第１のパルスに相当する振幅パルスと、第２のパルスに相当する振幅パルスとの時間間隔が規定時間相当であるかを判定することにより、第１のパルスに相当する振幅パルスを正規の振幅パルスであるか否かを判定する構成としてもよい。
【０１１０】
また、上記実施の形態においては、２次巻線Ｍ１２側に入力信号Ｓ１００の立ち上がりエッジに同期した振幅パルス及びこれよりも規定時間だけ遅延した振幅パルスを発生させることでノイズによる振幅パルスであるか否かを判定する構成としたが、２次巻線Ｍ１２側に入力信号Ｓ１００の立ち上がりエッジに同期した振幅パルスとこの振幅パルスよりも規定時間だけ遅延した２以上の振幅パルスとを発生させる構成とし、２次巻線Ｍ１２側に入力信号Ｓ１００の立ち上がりエッジに同期した振幅パルスと、他の複数の振幅パルスとの時間間隔に基づいて、ノイズであるか否かを判定する構成としてもよい。
【０１１１】
また、上記実施の形態においては、ノイズによるものと判別されたときには、セット信号Ｓ１１０或いはリセット信号Ｓ１１１を出力しない構成としているが、これに限るものではない。
例えば、ノイズであるか否かに関わらず、セット信号Ｓ１１０及びリセット信号Ｓ１１１に基づいて入力信号Ｓ１００の復元を行う構成とし、さらに、ノイズであると判別されたときのセット信号Ｓ１１０或いはリセット信号Ｓ１１１であるか否かに応じて、この復元信号を有効な信号として取り扱うかどうかを判断する等、ノイズと判断されたか否かに応じて復元信号の取り扱い内容を変更するようにしてもよい。
【０１１２】
また、上記の説明において、最初に入力信号Ｓ１００の立ち上がりエッジを検出し、次に立ち下がりエッジを検出することにより、入力信号Ｓ１００のＨＩＧＨレベル信号を検出する実施形態について説明したが、逆に、最初に入力信号Ｓ１００の立ち下がりエッジを検出し、次に立ち上がりエッジを検出することにより、入力信号Ｓ１００のＬＯＷレベル信号を検出するようにしてもよい。
この場合においても、本発明が適用できることは明らかである。例えば、図１において、入力信号Ｓ１００が入力される信号変換部１の入力端と抵抗Ｒ１１の間にインバータを設け、復元信号Ｓ１１をフリップフロップ２７の反転出力端子Ｑバーから出力するようにすればよい。
【０１１３】
また、上記の説明において、最初にエッジ信号Ｓ１０２，１０３の立ち上がりエッジを検出し、次に立ち下がりエッジを検出することにより、エッジ信号Ｓ１０２，１０３のＨＩＧＨレベル信号を検出する実施形態について説明したが、逆に最初にエッジ信号Ｓ１０２，１０３立ち下がりエッジを検出し、次に立ち上がりエッジを検出することにより、エッジ信号Ｓ１０２，１０３のＬＯＷレベル信号を検出するようにしてもよい。
この場合においても、本発明が適用できることは明らかである。例えば、図１において、論理積回路１５Ａ、１５Ｂの後段にそれぞれインバータを設けるとともに、コンパレータ２１，２２と時間間隔計測ユニット２５との接続関係を逆にし、かつ／もしくは、コンパレータ２３，２４と時間間隔計測ユニット２６との接続関係を逆にすればよい。
【０１１４】
また、上記の説明において、絶縁トランスＴＬ１１，ＴＬ１２の２次巻線Ｍ１２，Ｍ１４には、１次巻線Ｍ１１，Ｍ１３に“＋ｄｉ／ｄｔ”が発生したときには負値となる振幅のパルス（第１のパルス）、“−ｄｉ／ｄｔ”が発生したときには正値となる振幅のパルス（第２のパルス）が発生する実施形態について説明したが、一次巻線と２次巻線のいずれか一方の巻き方向を変えるとこの関係を逆転させることができる。すなわち、１次巻線Ｍ１１，Ｍ１３に“＋ｄｉ／ｄｔ”が発生したときには正値となる振幅のパルス（第１のパルス）、“−ｄｉ／ｄｔ”が発生したときには負値となる振幅のパルス（第２のパルス）が発生する。これらの場合においても、本発明が適用できることは明らかである。例えば、図１において、コンパレータ２１，２２と時間間隔計測ユニット２５との接続関係を逆にし、かつ／もしくは、コンパレータ２３，２４と時間間隔計測ユニット２６との接続関係を逆にすればよい。
【０１１５】
また、上記は、図１に示す電源電位Ｖｃｃ１が正電位の場合の説明であるが、電源電位Ｖｃｃ１は負電位であってもよい。この場合においても、本発明が適用できることは明らかである。例えば、セット用絶縁トランスＴＬ１１側のＴｒ１１をＮチャネル電界効果型トランジスタ、Ｔｒ１２をＰチャネル電界効果型トランジスタとし、リセット用絶縁トランスＴＬ１２側のＴｒ１３をＮチャネル電界効果型トランジスタ、Ｔｒ１４をＰチャネル電界効果型トランジスタとすればよい。
【０１１６】
ここで、上記実施の形態において、セット用絶縁トランスＴＬ１１及びリセット用絶縁トランスＴＬ１２が請求項１のトランス手段に対応し、信号変換部１がエッジ検出信号生成手段に対応している。
また、セット用絶縁トランスＴＬ１１が請求項２の第１のトランス手段に対応し、リセット用絶縁トランスＴＬ１２が請求項２の第２のトランス手段に対応している。
【０１１７】
また、Ｐチャネル電界効果型トランジスタＴｒ１１、Ｔｒ１３が第１のスイッチング素子に対応し、Ｎチャネル電界効果型トランジスタＴｒ１２、Ｔｒ１４が第２のスイッチング素子に対応している。
また、ＩＧＢＴ１１０５、１１０６が負荷へ流入する電流を通電及び遮断するスイッチング素子に対応し、ＣＰＵ１１１１ａが制御回路に対応し、保護機能付きゲートドライバＩＣ１１１５Ｕ、１１１５Ｄが駆動回路に対応し、信号伝送部１１１７が信号伝送部に対応している。
【０１１８】
信号に関しては、エッジ信号Ｓ１０２、Ｓ１０３が方形波に対応する。
また、ＨＩＧＨレベル信号を検出する場合の入力信号Ｓ１００の立ち上がりエッジもしくはＬＯＷレベル信号を検出する場合の入力信号Ｓ１００の立ち下がりエッジが入力信号の開始エッジに対応し、ＨＩＧＨレベル信号を検出する場合の入力信号Ｓ１００の立ち下がりエッジもしくはＬＯＷレベル信号を検出する場合の入力信号Ｓ１００の立ち上がりエッジが入力信号の終了エッジに対応している。
【０１１９】
また、ＨＩＧＨレベル信号を検出する場合のエッジ信号Ｓ１０２，１０３の立ち上がりエッジもしくはＬＯＷレベル信号を検出する場合のエッジ信号Ｓ１０２，１０３の立ち下がりエッジが方形波の開始エッジに対応し、ＨＩＧＨレベル信号を検出する場合のエッジ信号Ｓ１０２，１０３の立ち下がりエッジもしくはＬＯＷレベル信号を検出する場合のエッジ信号Ｓ１０２，１０３の立ち上がりエッジが方形波の終了エッジに対応している。
【符号の説明】
【０１２０】
１  信号変換部
２  信号復元部
１２  バッファ
１３  排他的論理和回路
１４  インバータ
１５Ａ、１５Ｂ  論理積回路
２１、２３  負パルス検出用コンパレータ
２２、２４  正パルス検出用コンパレータ
２５、２６  時間間隔計測ユニット
２７  フリップフロップ
１１０１  電源
１１０２  昇降圧コンバータ
１１０３  インバータ
１１０４  電動機
１１０５、１１０６  ＩＧＢＴ
１１１１  制御回路
１１１１ａ  ＣＰＵ
１１１５Ｕ、１１１５Ｄ  保護機能付きゲートドライバＩＣ
１１１７  信号伝送部
ＣＵ、ＣＤ  アナログ−ＰＷＭ変換器
Ｃ、Ｃ１１〜Ｃ１４  コンデンサ
Ｄ１、Ｄ２  フライホイールダイオード
ＤＤ２、ＤＵ２  ダイオード
Ｌ  リアクトル
Ｍ１１、Ｍ１２、Ｍ１３、Ｍ１４  巻線
Ｒ１１〜Ｒ１７  抵抗
ＲＤ１、ＲＤ２、ＲＵ１、ＲＵ２  抵抗
Ｓ１００  入力信号
Ｓ１０２、Ｓ１０３  エッジ信号
Ｓ１０４  セット用電圧信号
Ｓ１０５  リセット用電圧信号
Ｓ１０６  コンパレータ２１の出力
Ｓ１０７  コンパレータ２２の出力
Ｓ１０８  コンパレータ２３の出力
Ｓ１０９  コンパレータ２４の出力
Ｓ１１０  セット信号
Ｓ１１１  リセット信号
Ｓ１１２  復元信号
ＳＷ１、ＳＷ２  スイッチング素子
ＴＬ１１  セット用絶縁トランス
ＴＬ１２  リセット用絶縁トランス
Ｔｒ１１、Ｔｒ１３  Ｐチャネル電界効果型トランジスタ
Ｔｒ１２、Ｔｒ１４  Ｎチャネル電界効果型トランジスタ
ＴＵ  信号伝送回路
【図１】
2010206754.tif 000003
【図２】
2010206754.tif 000004
【図３】
2010206754.tif 000005
【図４】
2010206754.tif 000006
【図５】
2010206754.tif 000007
【図６】
2010206754.tif 000008
【図７】
2010206754.tif 000009
【図８】
2010206754.tif 000010
【図９】
2010206754.tif 000011
【図１０】
2010206754.tif 000012
【図１１】
2010206754.tif 000013